(57)【特許請求の範囲】
【請求項１】
前面１０ａに吸気口２１、外面１０ｂに排気口２６を有する密閉されたファン収納用箱体１０と、このファン収納用箱体１０の前面に取付けた取付用アダプター１１でハウジング１２とし、
前記ファン収納用箱体１０内に電動モータ１３と、この電動モータ１３で回転される多翼ファン１４を備え、
前記取付用アダプター１１を壁１の取付枠３内に挿入し、ファン収納用箱体１０が壁１よりも室外に突出した状態で取付けるようにし、
前記ファン収納用箱体１０の外面１０ｂは多角形状で、その下半分の各面に排気口と同一形状のハーフカット部２５がそれぞれ形成され、いずれか１つのハーフカット部２５を打ち抜くことで排気口２６とし、その排気口２６に排気ダクト２０を接続し、
前記ファン収納用箱体１０の外面１０ｂを、前面１０ａ側が大きく、背面１０ｃ側が小さくなるように水平に対して斜めとしたことを特徴とする換気用の多翼ファン式送風機。
【発明の詳細な説明】
【０００１】
【発明の属する技術分野】
本発明は、台所の壁に取付ける換気用の多翼ファン式送風機に関する。
【０００２】
【従来の技術】
図１に示す換気用送風機の取付構造が知られている。すなわち、台所の壁１に角穴２を形成し、その角穴２に取付枠３を嵌合して取付ける。この取付枠３に送風機４のハウジング５を室内から挿入して壁１の室内面１ａに取付ける。前記送風機４はハウジング５内にプロペラファン６を設けると共に、揺動式のシャッタ７を取付けたプロペラ式送風機としてある。また、調理時に発生した燃焼ガス等を効率良く送風機４で吸引して捕集効率を向上するために壁１の室内面１ａにフード８が取付けてある。
【０００３】
【発明が解決しようとする課題】
前述の換気用送風機の取付構造であると、送風機４のハウジング５がフード８内に突出しているからフード８の捕集空間がハウジング５によって小さくなって、燃焼ガス等の捕集効率が悪い。
そこで、フード８の深さ（上下方向寸法）、幅（左右方向寸法）奥行（壁１から前面板８ａまでの寸法）を大きくし、ハウジング５のために小さくなった分だけ捕集空間を大きくし、燃焼ガス等の捕集効率を向上している。
【０００４】
このために、フード８が大型となり、フード８が大変目立つから台所の人の美観を損なう原因となる。
【０００５】
また、シャッタ７を閉じた状態でも雨・風等がシャッタ７の隙間から室内に入り込むことがあるし、シャッタ７を開いて換気する際に空気が矢印ａで示すようにほぼ真横に向けて排出されて近隣住宅へ悪影響を及ぼす。これらを防止するためにウエザーカバー９を取付けている。
【０００６】
前述のウエザーカバー９の奥行き寸法Ｌを大きく確保しなければ圧力損失が上昇し、排気風量が減少するので、ウエザーカバー９は大きなものとなり、コストの面や取付作業性の面で不利となる。
【０００７】
他方、近年住宅リフォームにおいてアルミサッシなどの普及に伴い室内の高気密化が進んでおり、プロペラ式送風機では十分な換気風量が得られないので、ターボファン、シロッコファン等の多翼ファンを用いた多翼ファン式送風機を用いることが考えられる。
【０００８】
しかしながら、図１に示すように住宅リフォーム前にプロペラ式送風機が取付けてある場合には壁１に取付枠３が設けてあるから、そのプロペラ式送風機に替えて多翼ファン式送風機を取付けるには大掛かりな工事を伴う。
【０００９】
また、多翼ファン式送風機はプロペラ式送風機に比べて大型であるから、プロペラ式送風機用のフード８を兼用すると、前述のように捕集空間が狭くなって燃焼ガス等の捕集効率が低下する。
【００１０】
また、多翼ファン式送風機を取付ける時にフード８が邪魔となり、その取付け作業が大変やりずらい。
【００１１】
このように、住宅リフォーム等に基づいて既設のプロペラ式送風機を多翼ファン式送風機と交替することは大変面倒なものである。
【００１２】
そこで、本発明は前述の課題を解決できるようにした換気用の多翼ファン式送風機を提供することを目的とする。
【００１３】
【課題を解決するための手段】
本発明は、前面１０ａに吸気口２１、外面１０ｂに排気口２６を有する密閉されたファン収納用箱体１０と、このファン収納用箱体１０の前面に取付けた取付用アダプター１１でハウジング１２とし、
前記ファン収納用箱体１０内に電動モータ１３と、この電動モータ１３で回転される多翼ファン１４を備え、
前記取付用アダプター１１を壁１の取付枠３内に挿入し、ファン収納用箱体１０が壁１よりも室外に突出した状態で取付けるようにし、
前記ファン収納用箱体１０の外面１０ｂは多角形状で、その下半分の各面に排気口と同一形状のハーフカット部２５がそれぞれ形成され、いずれか１つのハーフカット部２５を打ち抜くことで排気口２６とし、その排気口２６に排気ダクト２０を接続し、
前記ファン収納用箱体１０の外面１０ｂを、前面１０ａ側が大きく、背面１０ｃ側が小さくなるように水平に対して斜めとしたことを特徴とする換気用の多翼ファン式送風機である。
【００１５】
【作用】
本発明によれば、換気用の多翼ファン式送風機を、そのハウジング１２が取付枠３から室内に突出しないように取付け、壁１の室内面１ａに設けたフード８内に突出しないようにできるから、小型のフード８によって大きな捕集空間が得られる。したがって、小型のフード８を用いて捕集効率を向上できるし、フード８が目立つことがなく台所の人の美観を損なう原因となることもない。
【００１６】
また、フード８はハウジング１２によって形状の制約を受けないので、任意な形状とすることができる。これによって、台所のデザインと合致したような様々なデザインとすることができる。
【００１７】
また、ファン収納用箱体１０は排気口２６と給気口２１以外は密閉された箱状であり、その排気口２６に排気ダクト２０が接続して取付けてあるから、ファン収納用箱体１０が外部に露出しているにもかかわらず雨・風等がハウジング１２内に入り込むことがないし、排気ダクト２０から壁１とほぼ並行に排気される。
【００１８】
これによって、ウエザーカバーを用いることなく雨・風等がハウジング１２内に入り込むことがないし、近隣住宅へ悪影響を及ぼすこともない。
【００１９】
また、既設のプロペラ式送風機を取り外して多翼ファン式送風機を取付ける場合には、プロペラ式送風機を取り外して取付枠３を残存させ、その残存した取付枠３に室外から取付用アダプター１１を挿入して、取付けできる。
【００２０】
これによって、取付枠３を兼用できるから工事が簡単となるし、フード８が邪魔にならないので、住宅リフォーム等に基づいて既設のプロペラ式送風機を多翼ファン式送風機に簡単に交替できる。
【００２１】
また、ファン収納用箱体１０の外面１０ｂは多角形で、その下半分の各面にハーフカット部２５がそれぞれ形成され、いずれか１つのハーフカット部２５を打ち抜くことで排気口２６とし、その排気口２６に排気ダクト２０を取付けるので、その排気ダクト２０を下向き、斜め下向き、横向きのいずれかに選択して取付けできるので、排気方向を下向き、斜め下向き、横向きのいずれかに選択できる。
【００２２】
これによって、送風機の下方に物がある場合には排気方向を、その物に向わないようにして物が排気で汚れないようにできるし、送風機の下方に物が無い場合には下方に排気して周囲への排気の影響を最小限にできる。
【００２３】
また、ファン収納用箱体１０の外面１０ｂに取付けた排気ダクト２０が垂直に対して背面１０ｃ側に向けて斜めとなる。
【００２４】
これによって、排気用の多翼ファン式送風機を取付けた状態で、排気ダクト２０が壁１の室外面１ｂから離れる方向に向けて斜めとなり、排気が壁１の室外面１ｂに強く吹きつけられることがない。したがって、排気で壁１の室外面１ｂを汚すことを防止できる。
【００２５】
また、ファン収納用箱体１０の上面に沿って雨水、埃等が流れ落ちるから、その上面に雨水、埃等が溜ることがない。
【００２６】
【発明の実施の形態】
図２に示すように、ファン収納用箱体１０と、このファン収納用箱１０の前面１０ａに設けた取付用アダプター１１でハウジング１２としてある。前記ファン収納用箱体１０内には電動モータ１３と、この電動モータ１３で回転されるターボファン、シロッコファン等の多翼ファン１４が設けてあり、これによって多翼ファン式送風機１５としてある。
【００２７】
前記取付用アダプター１１は図３に示すように、取付枠３の内面形状と同一形状で同一大きさの筒状であり、その前面寄りにフィルター１６が取付けてある。前記取付用アダプター１１はフランジ１７を備え、このフランジ１７がビス１８でファン収納用箱体１０の前面１０ａに取付けてある。
【００２８】
前記ファン収納用箱体１０は外面１０ｂが多角形状で、取付用アダプター１１よりも大きいので、その前面１０ａが壁１の室外面１ｂに接する。
【００２９】
前記ファン収納用箱体１０の外面１０ｂには排気口が形成してあり、この排気口に排気ダクト２０が取付けてある。この排気ダクト２０は壁１とほぼ平行で下向きとしてある。ファン収納用箱体１０の前面１０ａにはベルマウスと呼ばれる吸気口２１が形成され、この吸気口２１がフィルタ１６を経てフード８内に開口している。
【００３０】
前記排気ダクト２０にはシャッター装置２２が取付けてある。このシャッター装置２２は電動モータ２３でシャッター２４を揺動して排気ダクト２０を開・閉する電動式のシャッター装置としてある。
【００３１】
前記取付用アダプター１１が取付枠３内に挿入され、ファン収納用箱体１０の前面１０ａが壁１の室外面１ｂに接して取付けられる。例えば、取付用アダプター１１の内部からビスを取付枠３の内面に固着し、前面１０ａをビスで取付枠３の室外面に固着して取付ける。
【００３２】
前述のように、多翼ファン式送風機１５のハウジング１２はフード８内に突出しないから、小型のフード８によって大きな捕集空間が得られる。したがって、小型のフード８を用いて捕集効率を向上できるし、フード８が目立つことがなく台所の人の美観を損なう原因となることもない。
【００３３】
また、フード８はハウジング１２によって形状の制約を受けないので、任意な形状とすることができる。これによって、台所のデザインと合致したような様々なデザインとすることができる。
【００３４】
また、ファン収納用箱体１０は排気口と吸気口２１以外は密閉された箱状であり、その排気口に排気ダクト２０が接続してあるから、外部に露出しているにもかかわらず雨・風等がハウジング１２内に入り込むことがないし、排気ダクト２０から壁１とほぼ平行に排気される。
【００３５】
これによって、ウエザーカバーを用いることなく、雨・風等がハウジング１２内に入り込むことがないし、近隣住宅へ悪影響を及ぼすこともない。
【００３６】
また、図１に示す既設のプロペラ式送風機を取り外して多翼ファン式送風機を取付ける場合には、プロペラ式送風機を取り外して取付枠３を残存させ、その残存した取付枠３に室外から取付用アダプター１１を挿入して取付けできる。
【００３７】
これによって、取付枠３を兼用できるから工事が簡単となるし、フード８が邪魔にならないので、住宅リフォーム等に基づいて既設のプロペラ式送風機を多翼ファン式送風機に簡単に交替できる。
【００３８】
前記ファン収納用箱体１０の外面１０ｂにおける多角形状の下半分の各面には排気口と同一形状にハーフカット部２５がそれぞれ形成され、いずれか１つのハーフカット部２５を打ち抜くことで排気口２６を下向き、斜め下向き、横向きに選択できるようにしてある。
【００３９】
このようであるから、図４、図５に示すように排気ダクト２０を下向き、斜め下向き、横向きのいずれかを選択して取付けできるので、排気方向を下向き、斜め下向き、横向きのいずれかに選択することができる。
【００４０】
したがって、多翼ファン式送風機１５の下方にエアコンの室外機２７や植物２８等の排気が当ることで汚れたり、悪影響を及ぼす物がある場合等に、その物に排気が当らないようにできる。
【００４１】
また、ファン収納用箱体１０の外面１０ｂを多角形とすることで上面の面積  （長さ）が小さくなるので、雨や埃などが溜りずらくなる。
【００４２】
図６に示すように、ファン収納用箱体１０と取付用アダプター１１を別体とし、両者を連結することでハウジング１２とすると共に、寸法の異なる複数の取付用アダプター１１を準備する。
【００４３】
このようにすれば、寸法の異なる取付枠３にファン収納箱体１０を共通した多翼ファン式送風機１５を取付けできる。
【００４４】
図７と図８に示すように、ファン取付用箱体１０の外面１０ｂを前面１０ａ側が大きく、背面１０ｃ側が小さくなるように水平に対して斜めの形状とする。
【００４５】
このようにすれば、真直な排気用ダクト２０を外面１０ｂに取付けることで、その排気用ダクト２０が垂直に対して排出部が壁１から離れるように斜めとなる。したがって、排気用ダクト２０から排出される排気が壁１の室外面１ｂに吹きつけられることがなく、壁１の室外面１ｂが排気で汚れることを大幅に軽減できる。
【００４６】
また、ファン収納用箱体１０の外面１０ｂにおける上部に溜った雨水、埃が流れ落ちるので、雨水や埃が溜ることがない。
【００４７】
【発明の効果】
本発明によれば、換気用の多翼ファン式送風機を、そのハウジング１２が取付枠３から室内に突出しないように取付け、壁１の室内面１ａに設けたフード８内に突出しないようにできるから、小型のフード８によって大きな捕集空間が得られる。したがって、小型のフード８を用いて捕集効率を向上できるし、フード８が目立つことがなく台所の人の美観を損なう原因となることもない。
【００４８】
また、フード８はハウジング１２によって形状の制約を受けないので、任意な形状とすることができる。これによって、台所のデザインと合致したような様々なデザインとすることができる。
【００４９】
また、ファン収納用箱体１０は排気口２６と給気口２１以外は密閉された箱状であり、その排気口２６に排気ダクト２０が接続して取付けてあるから、ファン収納用箱体１０が外部に露出しているにもかかわらず雨・風等がハウジング１２内に入り込むことがないし、排気ダクト２０から壁１とほぼ並行に排気される。
【００５０】
これによって、ウエザーカバーを用いることなく雨・風等がハウジング１２内に入り込むことがないし、近隣住宅へ悪影響を及ぼすこともない。
【００５１】
また、既設のプロペラ式送風機を取り外して多翼ファン式送風機を取付ける場合には、プロペラ式送風機を取り外して取付枠３を残存させ、その残存した取付枠３に室外から取付用アダプター１１を挿入して、取付けできる。
【００５２】
これによって、取付枠３を兼用できるから工事が簡単となるし、フード８が邪魔にならないので、住宅リフォーム等に基づいて既設のプロペラ式送風機を多翼ファン式送風機に簡単に交替できる。
【００５３】
また、ファン収納用箱体１０の外面１０ｂは多角形で、その下半分の各面にハーフカット部２５がそれぞれ形成され、いずれか１つのハーフカット部２５を打ち抜くことで排気口２６とし、その排気口２６に排気ダクト２０を取付けるので、その排気ダクト２０を下向き、斜め下向き、横向きのいずれかに選択して取付けできるので、排気方向を下向き、斜め下向き、横向きのいずれかに選択できる。
【００５４】
これによって、送風機の下方に物がある場合には排気方向を、その物に向わないようにして物が排気で汚れないようにできるし、送風機の下方に物が無い場合には下方に排気して周囲への排気の影響を最小限にできる。
【００５５】
また、ファン収納用箱体１０の外面１０ｂに取付けた排気ダクト２０が垂直に対して背面１０ｃ側に向けて斜めとなる。
【００５６】
これによって、排気用の多翼ファン式送風機を取付けた状態で、排気ダクト２０が壁１の室外面１ｂから離れる方向に向けて斜めとなり、排気が壁１の室外面１ｂに強く吹きつけられることがない。したがって、排気で壁１の室外面１ｂを汚すことを防止できる。
【００５７】
また、ファン収納用箱体１０の上面に沿って雨水、埃等が流れ落ちるから、その上面に雨水、埃等が溜ることがない。
【図面の簡単な説明】
【図１】  従来のプロペラ式送風機の取付け状態の断面図である。
【図２】  本発明の第１の実施の形態を示す送風機の取付け状態の断面図である。
【図３】  多翼ファン式送風機の前面図である。
【図４】  送風機取付部の全体断面図である。
【図５】  図５の室外視図である。
【図６】  多翼ファン式送風機の他の例を示す分解正面図である。
【図７】  本発明の第２の実施の形態を示す取付け状態の断面図である。
【図８】  多翼ファン式送風機の背面図である。
【符号の説明】
１…壁、１ａ…室内面、１ｂ…室外面、３…取付枠、４…プロペラ式送風機、５…ハウジング、８…フード、９…ウエザーカバー、１０…ファン収納用箱体、１０ａ…前面、１０ｂ…外面、１０ｃ…背面、１１…取付用アダプター、１２…ハウジング、１３…電動モータ、１４…多翼ファン、１５…多翼ファン式送風機、１７…フランジ、１８…ビス、２０…排気ダクト、２１…吸気口、２２…シャッター装置、２３…電動モータ、２４…シャッター、２６…排気口、２７…室外機、２８…植物、３０…ガイド部。
【図１】
0003820669.tif 000002
【図２】
0003820669.tif 000003
【図３】
0003820669.tif 000004
【図４】
0003820669.tif 000005
【図５】
0003820669.tif 000006
【図６】
0003820669.tif 000007
【図７】
0003820669.tif 000008
【図８】
0003820669.tif 000009